(57)【要約】 【課題】現金を効率良く循環させ、釣銭準備金の作成に伴い店舗及び警備会社に生じるコストを削減する。【解決手段】現金処理システムは、現金の入金処理及び／又は出金処理を行い、入出金処理のデータを送信する現金処理機１０と、現金処理機１０から送信された前記データを受信し、受信データに基づいて、現金処理機１０が設置される店舗１の銀行口座３１と、現金処理機１０の機内の現金の回収を行う警備会社の銀行口座３２との間における振込処理を行うセンターサーバ２０と、を備える。【選択図】図１
2012168789.tif 000002
【特許請求の範囲】
【請求項１】
現金の入金処理及び／又は出金処理を行い、入出金処理のデータを送信する現金処理機と、
前記現金処理機から送信された前記データを受信し、受信データに基づいて、前記現金処理機が設置される店舗の銀行口座と、前記現金処理機の機内の現金の回収を行う警備会社の銀行口座との間における振込処理を行うセンターサーバと、
を備える現金処理システム。
【請求項２】
前記データは前記現金処理機への入金額及び前記現金処理機からの出金額を含み、
前記センターサーバは、前記入金額と前記出金額の差額の振込処理を行うことを特徴とする請求項１に記載の現金処理システム。
【請求項３】
前記入金額が前記出金額より大きい場合、前記センターサーバは前記差額を前記警備会社の銀行口座から前記店舗の銀行口座へ振り込むことを特徴とする請求項２に記載の現金処理システム。
【請求項４】
前記出金額が前記入金額より大きい場合、前記センターサーバは前記差額を前記店舗の銀行口座から前記警備会社の銀行口座へ振り込むことを特徴とする請求項２又は３に記載の現金処理システム。
【請求項５】
前記センターサーバは、前記差額に、前記現金処理機の入出金処理に伴う手数料を加味した金額の振込処理を行うことを特徴とする請求項２乃至４のいずれか１項に記載の現金処理システム。
【請求項６】
前記現金処理機は、入金処理を行わず出金処理のみを行った場合、入金額を含まず出金額を含んだデータを前記センターサーバへ送信し、
前記センターサーバは、前記現金処理機から受信した前記データに含まれる前記出金額に基づく金額を前記店舗の銀行口座から前記警備会社の銀行口座へ振り込むことを特徴とする請求項１乃至５のいずれか１項に記載の現金処理システム。
【請求項７】
前記現金処理機は、入金処理及び出金処理を行った場合、入金額と出金額の差額を算出し、前記差額を含むデータを前記センターサーバへ送信し、
前記センターサーバは、前記現金処理機から受信した前記データに含まれる前記差額に基づいて振込処理を行うことを特徴とする請求項１に記載の現金処理システム。
【請求項８】
前記現金処理機は両替処理を行うことができ、
前記センターサーバは、前記現金処理機が両替処理を行うと、前記店舗の銀行口座から前記警備会社の銀行口座へ両替手数料を振り込むことを特徴とする請求項１乃至７のいずれか１項に記載の現金処理システム。
【請求項９】
現金の入出金を行うことができる現金処理機と、前記現金処理機と通信接続されたセンターサーバとを用いる現金処理方法であって、
前記現金処理機が入金処理及び／又は出金処理を行う工程と、
前記現金処理機が入出金処理のデータを前記センターサーバへ送信する工程と、
前記センターサーバが、前記現金処理機から送信された前記データを受信する工程と、
前記センターサーバが、受信データに基づいて、前記現金処理機が設置される店舗の銀行口座と、前記現金処理機の機内の現金の回収を行う警備会社の銀行口座との間における振込処理を行う工程と、
を備える現金処理方法。
【請求項１０】
前記現金処理機は、入金額及び出金額を含む前記データを前記センターサーバへ送信し、
前記センターサーバは、前記入金額と前記出金額の差額の振込処理を行うことを特徴とする請求項９に記載の現金処理方法。
【請求項１１】
前記入金額が前記出金額より大きい場合、前記センターサーバは前記差額を前記警備会社の銀行口座から前記店舗の銀行口座へ振り込むことを特徴とする請求項１０に記載の現金処理方法。
【請求項１２】
前記出金額が前記入金額より大きい場合、前記センターサーバは前記差額を前記店舗の銀行口座から前記警備会社の銀行口座へ振り込むことを特徴とする請求項１０又は１１に記載の現金処理方法。
【請求項１３】
前記センターサーバは、前記差額に、前記現金処理機の入出金処理に伴う手数料を加味した金額の振込処理を行うことを特徴とする請求項１０乃至１２のいずれか１項に記載の現金処理方法。
【請求項１４】
前記現金処理機は、入金処理を行わず出金処理のみを行った場合、入金額を含まず出金額を含んだデータを前記センターサーバへ送信し、
前記センターサーバは、前記現金処理機から受信した前記データに含まれる前記出金額に基づく金額を前記店舗の銀行口座から前記警備会社の銀行口座へ振り込むことを特徴とする請求項９乃至１３のいずれか１項に記載の現金処理方法。
【請求項１５】
前記現金処理機は、入金処理及び出金処理を行った場合、入金額と出金額の差額を算出し、前記差額を含むデータを前記センターサーバへ送信し、
前記センターサーバは、前記現金処理機から受信した前記データに含まれる前記差額に基づいて振込処理を行うことを特徴とする請求項９に記載の現金処理方法。
【請求項１６】
店舗に設置され、前記店舗の銀行口座と機内の現金の回収を行う警備会社の銀行口座との間における振込処理を行うセンターサーバに通信接続された現金処理機であって、
入金処理に伴う入金額と、出金処理に伴う出金額との差額を算出し、前記差額を含むデータを前記センターサーバへ送信することを特徴とする現金処理機。
【請求項１７】
包装硬貨を収納する収納部と、
前記包装硬貨を出金する出金部と、
をさらに備え、
前記包装硬貨を用いて前記出金処理を行うことを特徴とする請求項１６に記載の現金処理機。
【発明の詳細な説明】
【技術分野】
【０００１】
本発明は、店舗に設置され入出金を行う現金処理機と、この現金処理機における入出金処理に応じて店舗口座と警備会社口座との間での振込処理を行うセンターサーバとを備える現金処理システムに関する。また、本発明は、このような現金処理システムを用いた現金処理方法、及び現金処理システムに用いられる現金処理機に関する。
【背景技術】
【０００２】
近年、店舗売上金等を入金する入金機を店舗内に設置し、入金機内の現金の回収を警備会社に委託するということが行われている。入金機に売上金が入金されると、入金データが入金機から警備会社のセンターへ送信され、センターは、受信した入金データに基づく金額を顧客口座（入金機を設置している店舗の銀行口座）へ振り込んでいる（例えば特許文献１参照）。
【０００３】
また、警備会社は、顧客口座から予め決められた金額の釣銭準備金を引き出し、入金機内の現金の回収時に、店舗に配送している。しかし、顧客口座からは配送よりも前の日に釣銭準備金が引き出されるため、店舗は、その分だけ銀行から受け取ることができる金利が減っていた。
【０００４】
警備会社がサービスの一環として店舗に両替機を設置し、店舗内で釣銭準備金を作成できるようにすることもある。しかし、両替機の設置や、両替機への貨幣の補充にはコストがかかっていた。
【先行技術文献】
【特許文献】
【０００５】
【特許文献１】特許第３５４２０５１号公報
【発明の概要】
【発明が解決しようとする課題】
【０００６】
本発明は、現金を効率良く循環させ、釣銭準備金の作成に伴い店舗及び警備会社に生じるコストを削減することができる現金処理システム、現金処理方法、及び現金処理機を提供することを目的とする。
【課題を解決するための手段】
【０００７】
本発明の一態様による現金処理システムは、現金の入金処理及び／又は出金処理を行い、入出金処理のデータを送信する現金処理機と、前記現金処理機から送信された前記データを受信し、受信データに基づいて、前記現金処理機が設置される店舗の銀行口座と、前記現金処理機の機内の現金の回収を行う警備会社の銀行口座との間における振込処理を行うセンターサーバと、を備えるものである。
【０００８】
本発明の一態様による現金処理システムにおいては、前記データは前記現金処理機への入金額及び前記現金処理機からの出金額を含み、前記センターサーバは、前記入金額と前記出金額の差額の振込処理を行うことが好ましい。
【０００９】
本発明の一態様による現金処理システムにおいては、前記入金額が前記出金額より大きい場合、前記センターサーバは前記差額を前記警備会社の銀行口座から前記店舗の銀行口座へ振り込むことが好ましい。
【００１０】
本発明の一態様による現金処理システムにおいては、前記出金額が前記入金額より大きい場合、前記センターサーバは前記差額を前記店舗の銀行口座から前記警備会社の銀行口座へ振り込むことが好ましい。
【００１１】
本発明の一態様による現金処理システムにおいては、前記センターサーバは、前記差額に、前記現金処理機の入出金処理に伴う手数料を加味した金額の振込処理を行うことが好ましい。
【００１２】
本発明の一態様による現金処理システムにおいては、前記現金処理機は、入金処理を行わず出金処理のみを行った場合、入金額を含まず出金額を含んだデータを前記センターサーバへ送信し、前記センターサーバは、前記現金処理機から受信した前記データに含まれる前記出金額に基づく金額を前記店舗の銀行口座から前記警備会社の銀行口座へ振り込むことが好ましい。
【００１３】
本発明の一態様による現金処理システムにおいては、前記現金処理機は、入金処理及び出金処理を行った場合、入金額と出金額の差額を算出し、前記差額を含むデータを前記センターサーバへ送信し、前記センターサーバは、前記現金処理機から受信した前記データに含まれる前記差額に基づいて振込処理を行うことが好ましい。
【００１４】
本発明の一態様による現金処理システムにおいては、前記現金処理機は両替処理を行うことができ、前記センターサーバは、前記現金処理機が両替処理を行うと、前記店舗の銀行口座から前記警備会社の銀行口座へ両替手数料を振り込むことが好ましい。
【００１５】
本発明の一態様による現金処理方法は、現金の入出金を行うことができる現金処理機と、前記現金処理機と通信接続されたセンターサーバとを用いる現金処理方法であって、前記現金処理機が入金処理及び／又は出金処理を行う工程と、前記現金処理機が入出金処理のデータを前記センターサーバへ送信する工程と、前記センターサーバが、前記現金処理機から送信された前記データを受信する工程と、前記センターサーバが、受信データに基づいて、前記現金処理機が設置される店舗の銀行口座と、前記現金処理機の機内の現金の回収を行う警備会社の銀行口座との間における振込処理を行う工程と、を備えるものである。
【００１６】
本発明の一態様による現金処理方法においては、前記現金処理機は、入金額及び出金額を含む前記データを前記センターサーバへ送信し、前記センターサーバは、前記入金額と前記出金額の差額の振込処理を行うことが好ましい。
【００１７】
本発明の一態様による現金処理方法においては、前記入金額が前記出金額より大きい場合、前記センターサーバは前記差額を前記警備会社の銀行口座から前記店舗の銀行口座へ振り込むことが好ましい。
【００１８】
本発明の一態様による現金処理方法においては、前記出金額が前記入金額より大きい場合、前記センターサーバは前記差額を前記店舗の銀行口座から前記警備会社の銀行口座へ振り込むことが好ましい。
【００１９】
本発明の一態様による現金処理方法においては、前記センターサーバは、前記差額に、前記現金処理機の入出金処理に伴う手数料を加味した金額の振込処理を行うことが好ましい。
【００２０】
本発明の一態様による現金処理方法においては、前記現金処理機は、入金処理を行わず出金処理のみを行った場合、入金額を含まず出金額を含んだデータを前記センターサーバへ送信し、前記センターサーバは、前記現金処理機から受信した前記データに含まれる前記出金額に基づく金額を前記店舗の銀行口座から前記警備会社の銀行口座へ振り込むことが好ましい。
【００２１】
本発明の一態様による現金処理方法においては、前記現金処理機は、入金処理及び出金処理を行った場合、入金額と出金額の差額を算出し、前記差額を含むデータを前記センターサーバへ送信し、前記センターサーバは、前記現金処理機から受信した前記データに含まれる前記差額に基づいて振込処理を行うことが好ましい。
【００２２】
本発明の一態様による現金処理機は、店舗に設置され、前記店舗の銀行口座と機内の現金の回収を行う警備会社の銀行口座との間における振込処理を行うセンターサーバに通信接続された現金処理機であって、入金処理に伴う入金額と、出金処理に伴う出金額との差額を算出し、前記差額を含むデータを前記センターサーバへ送信するものである。
【００２３】
本発明の一態様による現金処理機においては、包装硬貨を収納する収納部と、前記包装硬貨を出金する出金部と、をさらに備え、前記包装硬貨を用いて前記出金処理を行うことが好ましい。
【発明の効果】
【００２４】
本発明によれば、現金を効率良く循環させ、釣銭準備金の作成に伴い店舗及び警備会社に生じるコストを削減することができる。
【図面の簡単な説明】
【００２５】
【図１】本発明の第１の実施形態に係る現金処理システムの概略構成図である。
【図２】現金処理機のブロック構成図である。
【図３】紙幣処理装置の概略構成図である。
【図４】硬貨処理装置の概略構成図である。
【図５】センターサーバのブロック構成図である。
【図６】同第１の実施形態に係る現金処理方法を説明するフローチャートである。
【図７】同第１の実施形態に係る現金処理方法を説明するフローチャートである。
【発明を実施するための形態】
【００２６】
以下、本発明の実施の形態を図面に基づいて説明する。
【００２７】
（第１の実施形態）図１に本発明の第１の実施形態に係る現金処理システムの概略構成を示す。現金処理システムは、店舗１に設置された現金処理機１０と、センターサーバ２０とを備えている。現金処理機１０は、現金の入金処理又は出金処理を行うと、入出金処理の内容を示す入出金データＤを、インターネット等の通信回線を介して、センターサーバ２０へ送信する。
【００２８】
センターサーバ２０は、現金処理機１０から受信した入出金データ２０に基づいて、銀行３の店舗口座３１と警備会社口座３２との間における振込処理を行う。ここで、店舗口座３１とは、現金処理機１０が設置されている店舗１、又はこの店舗１の本社（経営者）の銀行口座である。また、警備会社口座３２は、現金処理機１０から現金を回収したり、現金処理機１０に現金を補充したりする業務の委託を受けている警備会社の銀行口座である。
【００２９】
店舗口座３１と警備会社口座３２は、異なる銀行の口座でもよい。また、銀行に限らず、信用金庫等の他の金融機関の口座でもよい。
【００３０】
図２に、現金処理機１０のブロック構成を示す。現金処理機１０は、演算制御部１００、記憶部１１０、紙幣処理装置１２０、硬貨処理装置１３０、操作部１４０、及び通信部１５０を備えている。
【００３１】
演算制御部１００は、記憶部１１０、紙幣処理装置１２０、硬貨処理装置１３０、操作表示部１４０、及び通信部１５０に接続されており、記憶部１１０に記憶されている制御プログラムに従って各部の制御を行う。また、演算制御部１００は、上述した入出金データＤを生成し、通信部１５０を介してセンターサーバ２０へ送信する。入出金データＤの生成方法は後述する。
【００３２】
図３に、紙幣処理装置１２０の概略構成を示す。紙幣処理装置１２０は、受入部１２１、識別部１２２、リジェクト部１２３、出金部１２４、収納繰出部１２５Ａ〜Ｃ、一時保留部１２６Ａ〜Ｃ、及び搬送部１２７を備えている。
【００３３】
受入部１２１は、投入された紙幣を１枚ずつ装置内に取り込む。
【００３４】
識別部１２２は、受入部１２１から取り込まれた紙幣の金種を識別し、金種毎の枚数を計数する。識別部１２２は、計数結果を演算制御部１００に通知する。
【００３５】
リジェクト部１２３は、識別部１２２による金種の識別ができなかった紙幣、偽券等のリジェクト紙幣を集積する。
【００３６】
出金部１２４は、紙幣を装置外部から取り出し可能になるように出金する。
【００３７】
収納繰出部１２５Ａ〜Ｃは、紙幣を金種別に収納する。また、収納繰出部１２５Ａ〜Ｃは、操作部１４０を介して出金指示が与えられると、収納されている紙幣を繰り出すことができる。
【００３８】
一時保留部１２６Ａ〜Ｃは、収納繰出部１２５Ａ〜Ｃの一部として構成されており、搬送部１２７によって搬送された紙幣を、収納済みの紙幣と区分けして一時保留する。操作部１４０を介して入金確定の指示が与えられると、一時保留部１２６Ａ〜Ｃが一時保留を解除し、一時保留されていた紙幣は、収納繰出部１２５Ａ〜Ｃに収納される。一方、操作部１４０を介して入金取消の指示が与えられると、一時保留されていた紙幣は収納繰出部１２５Ａ〜Ｃから繰り出される。
【００３９】
搬送部１２７は、受入部１２１が取り込んだ紙幣を識別部１２２へ搬送し、識別部１２２の識別結果に基づいて、リジェクト部１２３、出金部１２４、収納繰出部１２５Ａ〜Ｃ（一時保留部１２６Ａ〜Ｃ）へ搬送する。また、搬送部１２７は、収納繰出部１２５Ａ〜Ｃから繰り出された紙幣を出金部１２４へ搬送する。
【００４０】
図３では、３つの収納繰出部１２５Ａ〜Ｃ及び一時保留部１２６Ａ〜Ｃが設けられた紙幣処理装置１２０を示しているが、収納繰出部及び一時保留部の数は３つに限定されない。
【００４１】
図４に、硬貨処理装置１３０の構成例を示す。硬貨処理装置１３０は、バラ硬貨の入金を行う硬貨入金部２３０と、棒金（包装硬貨）の出金を行う硬貨出金部２５０とを備えている。
【００４２】
硬貨入金部２３０は、受入部２３１、識別部２３２、返却部２３３、収納部２３４、一時保留部２３５、及び搬送部２３６を備えている。
【００４３】
受入部２３１は、投入された硬貨を１枚ずつ取り込み、識別部２３２へ繰り出す。
【００４４】
識別部２３２は、受入部２３１から繰り出された硬貨の金種を識別し、金種毎の枚数を計数する。識別部２３２は、計数結果を演算制御部１００に通知する。
【００４５】
一時保留部２３５は、搬送部２３６によって搬送された硬貨を一括して一時保留し、操作部１４０を介して入金確定の指示が与えられると、図４のＡ方向へ移動して、一時保留されている硬貨を収納部２３４に一括して収納する。一方、操作部１４０を介して入金取消の指示が与えられると、一時保留部２３５は図４のＢ方向へ移動して、一時保留されている硬貨を返却部２３３に返却する。返却部２３３に返却された硬貨は、装置外部から取り出すことができる。
【００４６】
搬送部２３６は、受入部２３１から繰り出された硬貨を、識別部２３２へ搬送し、その後、一部保留部２３５へ搬送する。
【００４７】
硬貨出金部２５０は、棒金保管繰出部２５１Ａ〜Ｋ、棒金計数部２５２Ａ〜Ｋ、及び棒金取出部２５３を備えている。
【００４８】
棒金保管繰出部２５１Ａ〜Ｋは、金種毎に棒金を整列状態で保管するトレー形状をなしており、操作部１４０を介して与えられた出金指示に基づくトレーの引き出し量によって、必要な数の棒金を出金することができる。
【００４９】
棒金計数部２５２Ａ〜Ｋは、棒金保管繰出部２５１Ａ〜Ｋに対応して設けられており、棒金保管繰出部２５１Ａ〜Ｋから出金される棒金の数を計数する。ここでは、棒金保管繰出部２５１Ａ〜Ｋ及び棒金計数部２５２Ａ〜Ｋを１１個設ける構成を示しているが、１１個に限られるものではない。
【００５０】
棒金取出部２５３は、シャッタ構造を有している。シャッタのロックが解除されシャッタを開けることにより、棒金保管繰出部２５１Ａ〜Ｋのトレーを引き出すことができる。
【００５１】
図２に示す操作部１４０は、入金処理の開始指示、紙幣及び硬貨の入金確定の指示、入金取消の指示を受け付けることができる。また、操作部１４０は、出金処理の開始指示、出金すべき貨幣の金種別枚数を含む出金指示を受け付けることができる。
【００５２】
操作部１４０が入金処理の開始指示を受け付けると、演算制御部１００は、識別部１２２、２３２から計数結果を受け取り、入金額を算出する。また、演算制御部１００は、算出した入金額を、表示部（図示せず）に表示する。例えば、操作部１４０及び表示部をタッチパネルで構成することができる。
【００５３】
そして、演算制御部１００は、操作部１４０が入金確定の指示を受け付けると、算出した入金額を用いて入出金データＤを生成し、通信部１５０を介してセンターサーバ２０へ送信する。この場合、入出金データＤには、現金処理機１０へ入金があったこと、及び入金額についての情報が含まれる。
【００５４】
一方、操作部１４０が出金処理の開始指示及び出金指示を受け付け、紙幣処理装置１２０及び硬貨処理装置１３０から貨幣が出金されると、演算制御部１００は、操作部１４０が受け付けた出金指示に基づいて出金額を算出する。そして、演算制御部１００は、算出した出金額を用いて入出金データＤを生成し、通信部１５０を介してセンターサーバ２０へ送信する。この場合、入出金データＤには、現金処理機１０からの出金があったこと、及び出金額についての情報が含まれる。
【００５５】
図５に、センターサーバ２０のブロック構成を示す。センターサーバ２０は、通信部２１及び振込処理部２２を備えている。
【００５６】
通信部２１は、現金処理機１０から入出金データＤを受信する。また、通信部２１は銀行３のシステムに接続して後述する振込内容を通知し、店舗口座３１と警備会社口座３２との間での振込を行う。
【００５７】
振込処理部２２は、通信部２１が受信した入出金データＤに基づいて振込内容を作成する。例えば、入出金データＤが、現金処理機１０へ入金があったこと、及び入金額についての情報を含んでいる場合、振込処理部２２は、警備会社口座３２から店舗口座３１へ、現金処理機１０への入金額と同額の振込処理が行われるように振込内容を作成する。
【００５８】
このような振込処理により、店舗１における売上金を現金処理機１０に入金することで、店舗口座３１に売上金に相当する入金が行われることになる。店舗１は、警備会社による現金処理機１０内の現金回収を待たずに店舗口座３１に速やかに売上金相当額を入金することができる。
【００５９】
一方、入出金データＤが、現金処理機１０からの出金があったこと、及び出金額についての情報を含んでいる場合、振込処理部２２は、店舗口座３１から警備会社口座３２へ、現金処理機１０からの出金額と同額の振込処理が行われるように振込内容を作成する。
【００６０】
このような振込処理により、例えば、店舗１において現金処理機１０から釣銭準備金を出金すると、店舗口座３１から釣銭準備金に相当する金額の引き落とし（警備会社口座３２への振込）が行われることになる。従来は、警備会社が店舗口座３１から事前に釣銭準備金を引き出して店舗に配送していたが、本実施形態による現金処理システムでは、店舗１は、釣銭準備金の配送を待つ必要がない。また、釣銭準備金が必要以上に早く店舗口座３１から引き出されることがないため、従来の方法よりも、店舗１は銀行から金利を多く受け取ることができる。
【００６１】
次に、このような現金処理システムを用いた現金処理方法を、図６に示すフローチャートを用いて説明する。図６は、現金処理機１０に入金があった場合のフローチャートである。
【００６２】
（ステップＳ１０１）店舗１において、現金処理機１０の操作部１４０が、ユーザから入金処理の開始指示を受け付ける。続いて、現金処理機１０（紙幣処理装置１２０及び硬貨処理装置１３０）に現金が投入される。投入される現金は、例えば店舗１における売上金である。
【００６３】
（ステップＳ１０２）紙幣処理装置１２０及び硬貨処理装置１３０が、投入された現金の識別・計数を行う。演算制御部１００が、紙幣処理装置１２０及び硬貨処理装置１３０から計数結果を取得し、表示部に表示する。
【００６４】
（ステップＳ１０３）操作部１４０がユーザから入金確定指示を受け付け、一時保留されていた現金が収納部１２５Ａ〜Ｃ、２３４に収納される。収納部１２５Ａ〜Ｃ、２３４への収納に伴い、現金の所有権は店舗１から警備会社へ移る。
【００６５】
（ステップＳ１０４）演算制御部１００が、計数結果を用いて、現金処理機１０へ入金があったこと、及び入金額についての情報を含む入出金データＤを作成する。
【００６６】
（ステップＳ１０５）通信部１５０が入出金データＤを送信する。
【００６７】
（ステップＳ１０６）センターサーバ２０の通信部２１が入出金データＤを受信する。
【００６８】
（ステップＳ１０７）振込処理部２２が、入出金データＤを用いて、警備会社口座３２から店舗口座３１へ、現金処理機１０への入金額と同額の振込処理が行われるように振込内容を作成する。
【００６９】
（ステップＳ１０８）通信部２１が銀行３のシステムに振込内容を通知する。これにより、警備会社口座３２と店舗口座３１との間での振込処理が行われる。
【００７０】
次に、現金処理機１０から出金があった場合の処理を、図７に示すフローチャートを用いて説明する。
【００７１】
（ステップＳ２０１）店舗１において、現金処理機１０の操作部１４０が、ユーザから出金処理の開始指示を受け付ける。
【００７２】
（ステップＳ２０２）操作部１４０が、ユーザから出金貨幣の金種別枚数を含む出金指示を受け付ける。現金処理機１０（紙幣処理装置１２０及び硬貨処理装置１３０）は出金指示に基づいて紙幣及び硬貨（棒金）を出金する。ここで出金される紙幣及び硬貨（棒金）は、例えば店舗１の釣銭準備金となる。
【００７３】
（ステップＳ２０３）演算制御部１００が、出金指示に基づいて、現金処理機１０から出金があったこと、及び出金額についての情報を含む入出金データＤを作成する。
【００７４】
（ステップＳ２０４）通信部１５０が入出金データＤを送信する。
【００７５】
（ステップＳ２０５）センターサーバ２０の通信部２１が入出金データＤを受信する。
【００７６】
（ステップＳ２０６）振込処理部２２が、入出金データＤを用いて、店舗口座３１から警備会社口座３２へ、現金処理機１０からの出金額と同額の振込処理が行われるように振込内容を作成する。
【００７７】
（ステップＳ２０７）通信部２１が銀行３のシステムに振込内容を通知する。これにより、店舗口座３１と警備会社口座３２との間での振込処理が行われる。
【００７８】
このように、本実施形態によれば、店舗１は、警備会社による釣銭準備金の配送を待つ必要がない。また、釣銭準備金が必要以上に早く店舗口座３１から引き出されることがないため、店舗１は銀行から金利を多く受け取ることができる。
【００７９】
また、現金処理機１０内の現金を用いて釣銭準備金を作成できるため、警備会社は、店舗内に釣銭準備金作成用の両替機等を設置する必要がない。
【００８０】
従って、店舗１内で現金を効率良く循環させ、釣銭準備金の作成に伴い店舗及び警備会社に生じるコストを削減することができる。
【００８１】
（第２の実施形態）上記第１の実施形態では、現金処理機１０は、入金処理や出金処理の度に入出金データＤを作成し、センターサーバ２０へ送信していたが、所定回数の入出金処理が行われる毎に入出金データＤを作成してもよいし、所定時間毎に入出金データＤを作成してもよい。
【００８２】
例えば、現金処理機１０は、入金処理及び出金処理の処理内容を含む入出金データＤを作成してセンターサーバ２０へ送信する。センターサーバ２０は、このような入出金データＤを受信すると、入金処理に伴う入金額と、出金処理に伴う出金額との差額を算出し、この差額の振込処理を行う。
【００８３】
入出金データＤに複数の入金処理の処理内容や、複数の出金処理の処理内容が含まれている場合は、センターサーバ２０は、複数の入金処理の入金額の合計、複数の出金処理の出金額の合計から差額を算出する。
【００８４】
入金額が出金額より大きい場合、センターサーバ２０は、警備会社口座３２から店舗口座３１へ差額の振込処理が行われるように振込内容を作成する。逆に、出金額が入金額より大きい場合、センターサーバ２０は、店舗口座３１から警備会社口座３２へ差額の振込処理が行われるように振込内容を作成する。
【００８５】
本実施形態によれば、上記第１の実施形態と比較して、店舗口座３１と警備会社口座３２との間での振込処理の回数を減らすことができ、コストをさらに削減できる。
【００８６】
（第３の実施形態）上記第２の実施形態では、現金処理機１０が、入金処理及び出金処理の処理内容を含む入出金データＤを作成し、センターサーバ２０が入金処理に伴う入金額と、出金処理に伴う出金額との差額を算出していたが、現金処理機１０が差額を算出し、算出した差額を含む入出金データＤを作成してセンターサーバ２０へ送信してもよい。
【００８７】
例えば、現金処理機１０は、差額と、入金額と出金額の大小関係とを含む入出金データＤを作成する。センターサーバ２０は、入金額が出金額より大きい場合は、警備会社口座３２から店舗口座３１へ差額が振り込まれるようにする。一方、センターサーバ２０は、出金額が入金額より大きい場合は、店舗口座３１から警備会社口座３２へ差額が振り込まれるようにする。また、予め差額の算出方法が定まっている場合は、差額の符号がプラスかマイナスかで入金額と出金額の大小関係は判別できるため、入出金データＤに、入金額と出金額の大小関係を含める必要はない。
【００８８】
また、センターサーバ２０は、振込に伴う手数料を考慮して振込内容を作成してもよい。例えば、センターサーバ２０は、入金額が出金額より大きい場合、差額から手数料を差し引いた金額が警備会社口座３２から店舗口座３１振り込まれるようにする。あるいはまた、センターサーバ２０は、入金額が出金額より小さい場合、差額に手数料を加算した金額が店舗口座３１から警備会社口座３２に振り込まれるようにする。これにより、警備会社は、店舗１から振込に伴う手数料を受け取ることができる。
【００８９】
上記実施形態では、バラ硬貨の入金を行う硬貨入金部２３０と、棒金の出金を行う硬貨出金部２５０を備えた硬貨処理装置１３０について説明したが、硬貨処理装置１３０は、バラ硬貨の入金及び出金を行うものでもよい。このような硬貨処理装置１３０は、図３に示す紙幣処理装置１２０と同様の構成を有しているので、説明は省略する。これにより、店舗１において現金処理機１０に入金された硬貨も、出金に使用することができる。
【００９０】
また、センターサーバ２０は、店舗口座３１と警備会社口座３２との間で振込処理を行った後に、店舗１や、店舗１の本社に振込内容を通知するようにしてもよい。
【００９１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９２】
１  店舗
３  銀行
１０  現金処理機
２０  センターサーバ
２１  通信部
２２  振込処理部
３１  店舗口座
３２  警備会社口座
１００  演算制御部
１２０  紙幣処理装置
１３０  硬貨処理装置
【図１】
2012168789.tif 000003
【図２】
2012168789.tif 000004
【図３】
2012168789.tif 000005
【図４】
2012168789.tif 000006
【図５】
2012168789.tif 000007
【図６】
2012168789.tif 000008
【図７】
2012168789.tif 000009